(57)【特許請求の範囲】
【請求項１】
一方のコネクタハウジングと他方のコネクタハウジングとが、双方のコネクタハウジングの相対向すると共に積層される連結面を互いに突き合わせた状態で連結され、前記一方のコネクタハウジングと前記他方のコネクタハウジングとのいずれか一方に、端子を収容する各端子収容室を仕切る複数の仕切壁を設け、他方にこの複数の仕切壁に対向する位置に同じく複数の仕切壁を設け、双方のコネクタハウジングの連結位置では双方の仕切壁の先端面同士が略当接される合体コネクタにおいて、
前記一方のコネクタハウジングに対して前記他方のコネクタハウジングを、前記仕切壁の延びる方向を延設方向とすると、この延設方向に沿ってスライド自在に構成し、このスライド移動によって前記一方のコネクタハウジングの前記仕切壁上を前記他方のコネクタハウジングの仕切壁が移動して双方のコネクタハウジングが連結位置に位置されるよう構成し、
前記一方のコネクタハウジングと前記他方のコネクタハウジングとには、スライド方向の前端側とスライド方向の後端側との２か所に双方のコネクタハウジングの連結位置でそれぞれ係合し、且つ、双方のコネクタハウジング間を結合させる前側ロック手段と後側ロック手段とを設けると共に、双方のコネクタハウジングの連結位置で係合し、双方のコネクタハウジング間のスライド方向の位置決めを行う位置ロック手段を設け、
前記前側ロック手段は、前記一方のコネクタハウジングの連結面に設けられ、且つ、スライド方向に延設された前側凸部と、前記他方のコネクタハウジングの連結面に設けられ、且つ、スライド先端面に一端が開口し、前記前側凸部が係合する前側凹部とから構成し、
前記後側ロック手段は、前記一方のコネクタハウジングに設けられ、且つ、スライド移動の際には下記する係合アームにしか当接しない位置に配置された後側凸部と、前記他方のコネクタハウジングに設けられ、前記他方のコネクタハウジングのスライド移動過程で前記後側凸部に当接されると撓み変形して前記後側凸部のスライドを許容し、連結位置までスライドすると元の位置に弾性復帰変形して前記後側凸部が係合する前記係合孔を有する係合アームとから構成したことを特徴とする合体コネクタ。
【請求項２】
請求項１記載の合体コネクタであって、
前記係合アームのスライド進入側と前記後側凸部のスライド進入側との少なくともいずれか一方をテーパ面として構成したことを特徴とする合体コネクタ。
【発明の詳細な説明】
【０００１】
【発明の属する技術分野】
本発明は、複数の端子を収容するコネクタハウジングを複数有し、このコネクタハウジングを多段状に連結して構成される合体コネクタに関する。
【０００２】
【従来の技術】
本出願人は、先にこの種の従来の合体コネクタを提案した（特願平９−２２３７６４号出願書類参照）。図８はかかる合体コネクタの合体前の状態を示す斜視図、図９は上段側のコネクタハウジングの要部を底面側から見た拡大斜視図、図１０は下段側のコネクタハウジングの要部を平面側から見た拡大斜視図、図１１は仕切壁が圧接端子に接触した状態を示す要部断面図、図１２は仕切壁の押圧によって圧接端子が変形した状態を示す要部断面図である。
【０００３】
図８〜図１２において、合体コネクタ１は、上段側のコネクタハウジング２と下段側のコネクタハウジング３とから成り、上段側のコネクタハウジング２の下面２ａと下段側のコネクタハウジング３の上面３ａとが相対向する連結面として構成されている。上段側のコネクタハウジング２内には前後方向に配置される端子収容室４が左右方向に複数並列して構成され、この隣接する端子収容室４間は仕切壁５（図１１、図１２に示す）によって仕切られている。上段側のコネクタハウジング２の下面（連結面）２ａの後部は開口部６として構成され、この開口部６より各端子収容室４の後部が露出されている。各端子収容室４には圧接端子７（図１１、図１２に示す）がそれぞれ収容され、各圧接端子７の後部の電線圧接部７ａには圧接によって電線Ｗの一端側が接続されている。電線圧接部７ａは略コ字状に折曲された形状を有し、両側の先端部が仕切壁５より上方に突出している。
【０００４】
又、上段側のコネクタハウジング２の下面（連結面）２ａの前部には、その中央とこの左右の一定間隔離れた位置との３カ所に前後方向に延びる略断面台形状の前側第１係止突起部８が設けられていると共に、上段側のコネクタハウジング２の下面２ａの前方両端には前側第２係止突起部９が設けられている。この各前側第２係止突起部９は、図９に詳しく示すように、下方に突出された略半円状の導入リブ９ａと、この導入リブ９ａの先端側より斜めに形成された導入テーパ凸部９ｂと、この導入テーパ凸部９ｂの底面より水平状に突出した平坦凸部９ｃとから構成されている。上段側のコネクタハウジング２の両側面の後部には角柱状の後側係止突起部１０が設けられている。
【０００５】
下段側のコネクタハウジング３内には前後方向に配置される端子収容室４が左右方向に複数並列して構成されていると共に、下段側のコネクタハウジング３の下面の後部は開口部６として構成され、この開口部６より各端子収容室４の後部が露出されている。各端子収容室４には上記と同様にして圧接端子（図示せず）がそれぞれ収容されている。
【０００６】
下段側のコネクタハウジング３の下面側にはヒンジ部（図示せず）を介してカバー１１が連結され、このカバー１１によって前記開口部６を閉じることができるよう構成されている。下段側のコネクタハウジング３の上面（連結面）３ａの後部には、上段側のコネクタハウジング２の複数の仕切壁５に対向する位置に同じく複数の仕切壁１２が設けられている。又、隣接する各仕切壁１２の間には電線位置規制用突起１３（図１１、図１２に示す）がそれぞれ設けられている。
【０００７】
又、下段側のコネクタハウジング３の上面（連結面）３ａの前部には、その中央とこの左右の一定間隔離れた位置との３カ所に略断面逆台形状の前側第１係止凹部１４が設けられていると共に、下段側のコネクタハウジング３の上面３ａの前方両端には前側第２係止凹部１５が設けられている。この各前側第２係止凹部１５は、図１０に詳しく示すように、導入リブ９ａ及び導入テーパ凸部９ｂが挿入される案内テーパ凹部１５ａと、平坦凸部９ｃが挿入される水平凹部１５ｂとから構成されている。下段側のコネクタハウジング３の両側面の後部には可撓性の後側係止アーム部１６が設けられ、この各後側係止アーム部１６に後側係止孔１７が設けられている。
【０００８】
上記構成において、各コネクタハウジング２、３の端子収容室４に圧接端子７を収容し、この圧接端子７に電線Ｗの一端側を接続し終えると、下段側のコネクタハウジング３の開口部６をカバー１１で閉じる。次に、上段側のコネクタハウジング２をその下面２ａ側を上方として図示しない合体治具にセットし、このセットした上段側のコネクタハウジング２の上方から下段側のコネクタハウジング３を上面３ａ側を下方として乗せる。この乗せる際に、上段側のコネクタハウジング２の前側第１係止突起部８、前側第２係止突起部９及び後側係止突起部１０が、下段側のコネクタハウジング３の前側第１係止凹部１４、前側第２係止凹部１５及び後側係止アーム部１６に略位置合わせされる。
【０００９】
次に、下段側のコネクタハウジング３を下方に押圧し、この押圧力によって双方のコネクタハウジング２、３の相対向する連結面が互いに近接する方向に移動し、連結位置で前側第１係止突起部８及び前側第２係止突起部９が前側第１係止凹部１４及び前側第２係止凹部１５にそれぞれ入り込むと共に、後側係止突起部１０が撓み変形する後側係止アーム部１６によって後側係止孔１７に係止される。これによって双方のコネクタハウジング２、３が合体される。
【００１０】
又、上記した双方のコネクタハウジング２、３の連結位置への移動に伴って双方の仕切壁５、１２が互いに近接する方向に移動し、連結位置では双方の仕切壁５、１２の先端面同士が略当接状態とされる。これによって隣接する端子収容室４間が略完全に仕切られ、隣接する圧接端子７間におけるショート事故の防止が図られる。
【００１１】
【発明が解決しようとする課題】
しかしながら、前記従来の合体コネクタ１においては、双方のコネクタハウジング２、３の互いの連結面を離間した位置で対向させ、この離間した対向位置から徐々に互いの連結面を近接させる方向に移動することによって双方のコネクタハウジング２、３を連結させるものであるが、連結作業過程にあって双方のコネクタハウジング２、３間の位置決めが不安定である。
【００１２】
つまり、双方のコネクタハウジング２、３の前方側は、その左右方向の位置決めが前側第１係止突起部８の前側第１凹部１４への挿入によって、その前後方向の位置決めが前側第２係止突起部９の前側第２凹部１５への挿入によってなされるために問題ないが、双方のコネクタハウジング２、３の後方側は、後側係止突起部１０が撓み変形可能な後側係止アーム部１６によってのみ位置決めされているため、撓み変形方向である左右方向に容易に変移可能である。
【００１３】
従って、下段側のコネクタハウジング３が適性な位置から左右方向に位置ずれした状態で双方のコネクタハウジング２、３の連結位置への移動がなされると、図１１に示すように、下段側のコネクタハウジング３の仕切壁１２が圧接端子７の電線圧接部７ａに突き当たり、仕切壁１２からの押圧力によって圧接端子７の電線圧接部７ａが折曲される。圧接端子７の電線圧接部７ａが、図１２に示すように、外側に折曲されると、隣接する圧接端子７に接触してショートする恐れがある。
【００１４】
そこで、本発明は、前記した課題を解決すべくなされたものであり、連結作業に際して隣接する端子間のショート事故を防止できる合体コネクタを提供することを目的とする。
【００１５】
【課題を解決するための手段】
請求項１の発明は、一方のコネクタハウジングと他方のコネクタハウジングとが、双方のコネクタハウジングの相対向する連結面を互いに突き合わせた状態で連結され、前記一方のコネクタハウジングと前記他方のコネクタハウジングとのいずれか一方に、端子を収容する各端子収容室を仕切る複数の仕切壁を設け、他方にこの複数の仕切壁に対向する位置に同じく複数の仕切壁を設け、双方のコネクタハウジングの連結位置では双方の仕切壁の先端面同士が略当接される合体コネクタにおいて、前記一方のコネクタハウジングに対して前記他方のコネクタハウジングを、前記仕切壁の延びる方向を延設方向とすると、この延設方向に沿ってスライド自在に構成し、このスライド移動によって前記一方のコネクタハウジングの前記仕切壁上を前記他方のコネクタハウジングの仕切壁が移動して双方のコネクタハウジングが連結位置に位置されるよう構成し、前記一方のコネクタハウジングと前記他方のコネクタハウジングとには、スライド方向の前端側とスライド方向の後端側との２か所に双方のコネクタハウジングの連結位置でそれぞれ係合し、且つ、双方のコネクタハウジング間を結合させる前側ロック手段と後側ロック手段とを設けると共に、双方のコネクタハウジングの連結位置で係合し、双方のコネクタハウジング間のスライド方向の位置決めを行う位置ロック手段を設け、前記前側ロック手段は、前記一方のコネクタハウジングの連結面に設けられ、且つ、スライド方向に延設された前側凸部と、前記他方のコネクタハウジングの連結面に設けられ、且つ、スライド先端面に一端が開口し、前記前側凸部が係合する前側凹部とから構成し、前記後側ロック手段は、前記一方のコネクタハウジングに設けられ、且つ、スライド移動の際には下記する係合アームにしか当接しない位置に配置された後側凸部と、前記他方のコネクタハウジングに設けられ、前記他方のコネクタハウジングのスライド移動過程で前記後側凸部に当接されると撓み変形して前記後側凸部のスライドを許容し、連結位置までスライドすると元の位置に弾性復帰変形して前記後側凸部が係合する前記係合孔を有する係合アームとから構成したことを特徴とする。
【００１６】
この合体コネクタでは、他方のコネクタハウジングを一方のコネクタハウジングにスライド移動すると、一方のコネクタハウジングの仕切壁上を他方のコネクタハウジングの仕切壁が移動するため、仮に双方の仕切壁がその延設方向の直交方向に対して位置ずれし他方のコネクタハウジングの仕切壁が端子に接触しても端子が外側に折曲することがない。
【００１８】
また、この合体コネクタでは、双方のコネクタハウジングは、スライド移動に際して連結位置で位置ロック手段によって位置決めされ、且つ、双方のコネクタハウジング間は、前側ロック手段と後側ロック手段とによって前側と後側が結合される。
【００２０】
また、この合体コネクタでは、スライド移動に際して連結位置の少し手前位置から前側ロック手段の前側凸部が前側凹部に係合を開始し、又、後側ロック手段の係合アームが後側凸部に当接して撓み変形を開始する。
【００２１】
請求項２の発明は、請求項１記載の合体コネクタであって、前記係合アームのスライド進入側と前記後側凸部のスライド進入側との少なくともいずれか一方をテーパ面として構成したことを特徴とする。
【００２２】
この合体コネクタでは、請求項１の発明の作用に加え、後側凸部と係合アームとの少なくとも一方がテーパ面であるため、双方のコネクタハウジング間でスライド方向に直交する方向に位置ずれがあってもテーパ面が案内面となって位置ずれを補正し、又、後側凸部と係合アームとが少なくとも一方のテーパ面を介して当接するため、後側凸部からの押圧力の方向が係合アームを撓み変形しやすい方向に作用する。
【００２３】
【発明の実施の形態】
以下、本発明の一実施形態を図面に基づいて説明する。
【００２４】
図１は本発明の一実施形態に係る合体コネクタの合体前を示す斜視図、図２は下段側のコネクタハウジングの下面側から見た斜視図、図３は下段側のコネクタハウジングの上面側の一部斜視図、図４は下段側のコネクタハウジングの上面側の一部斜視図、図５は合体コネクタの連結作業の一過程を示す側面図、図６は合体コネクタの合体後を示す側面図、図７は合体コネクタの合体後を示す正面図である。尚、図１、及び図２では連結作業の状態をイメージし易いように、双方のコネクタハウジング２１、２２は共に下面側を上方に向けて示されている。
【００２５】
図１〜図７において、合体コネクタ２０は、上段側のコネクタハウジング（一方のコネクタハウジング）２１と下段側のコネクタハウジング（他方のコネクタハウジング）２２とから成り、上段側のコネクタハウジング２１の下面２１ａと下段側のコネクタハウジング２２の上面２２ａとが相対向する連結面として構成されている。そして、上段側のコネクタハウジング２１に対して下段側のコネクタハウジング２２を、下記する仕切壁２４の延びる方向を延設方向（前後方向）Ｔとすると、この延設方向Ｔに沿ってスライド自在に構成されている。
【００２６】
上段側のコネクタハウジング２１内には、前後方向に配置される端子収容室２３が左右方向に複数並列して構成され、この隣接する端子収容室２３間は仕切壁２４によって仕切られている。上段側のコネクタハウジング２１の下面（連結面）２１ａの後部は開口部２５として構成され、この開口部２５より各端子収容室２３の後部が露出されている。各端子収容室２３には圧接端子２６がそれぞれ収容され、各圧接端子２６の後部の電線圧接部２６ａには圧接によって電線Ｗの一端側が接続されている。電線圧接部２６ａは略コ字状に折曲された形状を有し、両側の先端部が仕切壁５より上方に突出している。
【００２７】
一方、下段側のコネクタハウジング２２内には前後方向に配置される端子収容室２３が左右方向に複数並列して構成され、この隣接する端子収容室２３間は仕切壁２４によって仕切られている。下段側のコネクタハウジング２２の下面２２ａの後部は開口部２５として構成され、この開口部２５より各端子収容室２３の後部が露出されている。各端子収容室２３には上記と同様にして圧接端子２６がそれぞれ収容されている。各圧接端子２６の後部の電線圧接部２６ａには圧接によって電線Ｗの一端側が接続されている。
【００２８】
下段側のコネクタハウジング２２の下面２２ａ側にはヒンジ部２８を介してカバー３０が連結され、図１に示すように、このカバー３０によって前記開口部２５を閉じることができるよう構成されている。カバー３０の両側面の先端側には係止孔３１が形成され、下段側のコネクタハウジング２２の両側面の後部には係止突起部３２が設けられ、カバー３０が開口部２５を閉じる位置に位置すると係止孔３１に係止突起部３２が係止することによってロックされる。
【００２９】
下段側のコネクタハウジング２２の上面（連結面）２２ａの後部には、図３に示すように、上段側のコネクタハウジング２１の複数の仕切壁２４に対向する位置に同じく複数の仕切壁３３（図３に示す）が設けられている。
【００３０】
また、上段側のコネクタハウジング２１と下段側のコネクタハウジング２２とには、スライド方向の前端側とスライド方向の後端側に前側ロック手段３４と後側ロック手段３５がそれぞれ設けられており、この前側ロック手段３４と後側ロック手段３５によって双方のコネクタハウジング２１、２２が連結位置で結合される。
【００３１】
前記前側ロック手段３４は、図１に示すように、上段側のコネクタハウジング２１の下面（連結面）２１ａの中央部の３カ所に設けられ、且つ、スライド方向（延設方向Ｔ）に延設された前側凸部３４ａと、図３に示すように、下段側のコネクタハウジング２２の上面（連結面）２２ａの中央部の３カ所に設けられ、且つ、スライド先端面３６に一端が開口し、前側凸部３４ａが係合する前側凹部３４ｂとから構成されている。前側凸部３４ａは、先端から根元に行くに従って徐々に幅が狭くなる形状に構成され、前側凹部３４ｂは、入口から奥に行くに従って徐々に幅が広くなるアリ溝形状に構成されている。
【００３２】
前記後側ロック手段３５は、上段側のコネクタハウジング２１の両方の側面に設けられ、且つ、スライド移動の際には下記する係合アーム３５ｂにしか当接しない位置に配置された後側凸部３５ａと、下段側のコネクタハウジング２２の両方の側面から上方に突設され、且つ、可撓性を有する係合アーム３５ｂとから構成されている。各係合アーム３５ｂには後側凸部３５ａが係合する係合孔３５ｃが設けられている。下段側のコネクタハウジング２２のスライド移動過程で一対の係合アーム３５ｂが後側凸部３５ａに当接されると撓み変形して後側凸部３５ａのスライドを許容し、連結位置までスライドすると一対の係合アーム３５ｂが元の位置に弾性復帰変形して各係合孔３５ｃに後側凸部３５ａが係合するよう構成されている。
【００３３】
又、図１に示すように、各後側凸部３５ａのスライド進入側（スライド方向    （Ｓ）の後端部）であって、且つ、係合アーム３５ｂが当接する側がテーパ面３７として構成されている。図４に示すように、各係合アーム３５ｂのスライド進入側（スライド方向（Ｓ）の前端部）であって、且つ、後側凸部３５ａの当接する側もテーパ面３７として構成されている。
【００３４】
さらに、上段側のコネクタハウジング２１と下段側のコネクタハウジング２２とには、スライド方向Ｓの前端側に位置ロック手段３８が設けられており、この位置ロック手段３８によって双方のコネクタハウジング２１、２２間のスライド方向Ｓの位置決めがなされている。位置ロック手段３８は図１に示すように、上段側のコネクタハウジング２１の下面（連結面）２１ａの両側に設けられ、且つ、スライド方向Ｓに直交する方向（延設方向Ｔに直交する方向Ｕ）に延設された位置ロック凸部３８ａと、図３に示すように、下段側のコネクタハウジング２２の上面（連結面）２２ａの両側に設けられ、且つ、双方のコネクタハウジング２１、２２が連結位置に位置すると位置ロック凸部３８ａが係合する位置ロック凹部３８ｂとから構成されている。
【００３５】
上記構成において、各コネクタハウジング２１、２２の端子収容室２３に圧接端子２６を収容し、この圧接端子２６に電線Ｗの一端側を接続し終えると、下段側のコネクタハウジング２２の開口部２５をカバー３０で閉じる。
【００３６】
次に、図５に示すように、上段側のコネクタハウジング２１をその下面２１ａ側を上方として合体治具４０の凹部４１にセットし、このセットした上段側のコネクタハウジング２１の下面２１ａ上に対して下段側のコネクタハウジング２２をその上面２２ａ側を下方としてスライドさせる。
【００３７】
スライド移動が進むと、下段側のコネクタハウジング２２の一対の係合アーム３５ｂが上段側のコネクタハウジング２１の一対の後側凸部３５ａに当接し、この各後側凸部３５ａの押圧力で各係合アーム３５ｂが外側方向に撓み変形して下段側のコネクタハウジング２２のスライド移動が許容される。そして、下段側のコネクタハウジング２２が上段側のコネクタハウジング２１に対して連結位置までスライドすると、一対の位置ロック凹部３８ｂに一対の位置ロック凸部３８ａが係合してこれ以上のスライドが阻止される。又、連結位置において、各前側凹部３４ｂに各前側凸部３４ａが係合すると共に、一対の係合アーム３５ｂが元の位置に弾性復帰変形して一対の係合孔３５ｃに一対の後側凸部３５ａが係合する。これにより双方のコネクタハウジング２１、２２が合体される。
【００３８】
双方のコネクタハウジング２１、２２は、スライド移動に際して連結位置で位置ロック手段３８によってスライド方向Ｓの位置決めがなされ、且つ、双方のコネクタハウジング２１、２２間は前側ロック手段３４と後側ロック手段３５とによって前側と後側が結合されるため、適正な連結位置で強固に結合される。特に、この実施形態では、入口より奥の幅の方が広い前側凹部３４ｂに、先端より根元の幅が狭い前側凸部３４ａが嵌まり込んで係合するため、合体後のガタを有効に防止できる。
【００３９】
上記スライド移動過程にあって、上段側のコネクタハウジング２１の仕切壁２４上を下段側のコネクタハウジング２２の仕切壁３３が移動する。ここで、仮に双方の仕切壁２４、３３がその延設方向Ｔの直交方向Ｕに対して位置ずれし下段側のコネクタハウジング２２の仕切壁３３が圧接端子２６に接触しても圧接端子２６が端子収容室２３の内側に撓むことがあっても外側に折曲することがない。そして、下段側のコネクタハウジング２２の仕切壁３３の先端面が圧接端子２６に干渉することなく上段側のコネクタハウジング２１の仕切壁２４の先端面に対して徐々に略当接状態に重なり合い、連結位置では双方の仕切り壁２４、３３が完全に重なり合う位置に位置される。以上より、連結作業に際して隣接する圧接端子２６間のショート事故を防止できる。
【００４０】
又、上記スライド移動に際して、連結位置の少し手前位置から前側ロック手段３４の前側凸部３４ａが前側凹部３４ｂに係合を開始し、又、後側ロック手段３５の係合アーム３５ｂが後側凸部３５ａに当接して撓み変形を開始するため、最もスライド力が必要であるスライド開始時点ではあまり負荷がなくスライド作業がスムーズにできる。
【００４１】
更に、上記スライド移動に際して、後側凸部３５ａと係合アーム３５ｂとの両方がテーパ面３７であるため、双方のコネクタハウジング２１、２２間でスライド方向に直交する方向に位置ずれがあってもテーパ面３７が案内面となって位置ずれを補正し、又、後側凸部３５ａと係合アーム３５ｂとが両方のテーパ面３７を介して当接するため、後側凸部３５ａからの押圧力の方向が係合アーム３５ｂを撓み変形しやすい方向に作用し、以上よりスムーズなスライド移動が可能である。
【００４２】
尚、前記実施形態によれば、上段側のコネクタハウジング２１を固定し、下段側のコネクタハウジング２２をスライドさせたが、逆に下段側のコネクタハウジング２２を固定し、上段側のコネクタハウジング２１をスライドさせても良く、又、双方のコネクタハウジング２１、２２を共にスライドさせても良い。
【００４３】
尚、前記実施形態によれば、後側凸部３５ａと係合アーム３５ｂとの両方にテーパ面３７を構成したが、いずれか一方にのみテーパ面３７を構成しても良い。但し、前記実施形態のように、後側凸部３５ａと係合アーム３５ｂとの両方にテーパ面３７を構成した方が延設方向Ｔの直交方向Ｕに対する大きな位置ずれに対応できる。
【００４４】
尚、前記実施形態において、前側ロック手段３４の前側凸部３４ａと前側凹部３４ｂとが設けられるコネクタハウジングが逆であっても良く、又、後側ロック手段３５の後側凸部３５ａと係合アーム３５ｂとが設けられるコネクタハウジングが逆であっても良く、又、位置ロック手段３８の位置ロック凸部３８ａと位置ロック凹部３８ｂとが設けられるコネクタハウジングが逆であっても良い。但し、スライド移動の大きな負荷にならないように位置や大きさ等を考慮する。
【００４５】
尚、前記実施形態によれば、合体コネクタ２０が上段側と下段側の２段のコネクタハウジング２１、２２にて構成された場合を示したが、３段又は４段以上のコネクタハウジングにて構成された場合にも本発明を適用できることはもちろんである。
【００４６】
【発明の効果】
以上説明したように、請求項１の発明によれば、一方のコネクタハウジングに対して他方のコネクタハウジングを、仕切壁の延びる方向を延設方向とすると、この延設方向に沿ってスライド自在に構成し、このスライド移動によって前記一方のコネクタハウジングの仕切壁上を他方のコネクタハウジングの仕切壁が移動して双方のコネクタハウジングが連結位置に位置されるよう構成したので、他方のコネクタハウジングを一方のコネクタハウジングにスライド移動すると、一方のコネクタハウジングの仕切壁上を他方のコネクタハウジングの仕切壁が移動するため、仮に双方の仕切壁がその延設方向の直交方向に対して位置ずれし他方のコネクタハウジングの仕切壁が端子に接触しても端子が外側に折曲することがなく、連結作業に際して隣接する端子間のショート事故を防止できる。
【００４７】
また、請求項１の発明によれば、前記一方のコネクタハウジングと前記他方のコネクタハウジングとには、スライド方向の前端側とスライド方向の後端側との２か所に双方のコネクタハウジングの連結位置でそれぞれ係合し、且つ、双方のコネクタハウジング間を結合させる前側ロック手段と後側ロック手段とを設けると共に、双方のコネクタハウジングの連結位置で係合し、双方のコネクタハウジング間のスライド方向の位置決めを行う位置ロック手段を設けたので、双方のコネクタハウジングは、スライド移動に際して連結位置で位置ロック手段によって位置決めされ、且つ、前側ロック手段と後側ロック手段とによって前側と後側が結合されるため、適正な連結位置で強固に結合される。
【００４８】
また、請求項１の発明によれば、前記前側ロック手段は、前記一方のコネクタハウジングの連結面に設けられ、且つ、スライド方向に延設された前側凸部と、前記他方のコネクタハウジングの連結面に設けられ、且つ、スライド先端面に一端が開口し、前記前側凸部が係合する前側凹部とから構成し、前記後側ロック手段は、前記一方のコネクタハウジングに設けられ、且つ、スライド移動の際には下記する係合アームにしか当接しない位置に配置された後側凸部と、前記他方のコネクタハウジングに設けられ、前記他方のコネクタハウジングのスライド移動過程で前記後側凸部に当接されると撓み変形して前記後側凸部のスライドを許容し、連結位置までスライドすると元の位置に弾性復帰変形して前記後側凸部が係合する前記係合孔を有する係合アームとから構成したので、スライド移動に際して連結位置の少し手前位置から前側ロック手段の前側凸部が前側凹部に係合を開始し、又、後側ロック手段の係合アームが後側凸部に当接して撓み変形を開始するため、最もスライド力が必要であるスライド開始時点ではあまり負荷がなくスライド作業がスムーズにできる。
【００４９】
請求項２の発明によれば、請求項１記載の合体コネクタであって、前記係合アームのスライド進入側と前記後側凸部のスライド進入側との少なくともいずれか一方をテーパ面として構成したので、請求項１の発明の効果に加え、後側凸部と係合アームとの少なくとも一方がテーパ面であるため、双方のコネクタハウジング間でスライド方向に直交する方向に位置ずれがあってもテーパ面が案内面となって位置ずれを補正し、又、後側凸部と係合アームとが少なくとも一方のテーパ面を介して当接するため、後側凸部からの押圧力の方向が係合アームを撓み変形しやすい方向に作用し、以上よりスムーズなスライド移動が可能である。
【図面の簡単な説明】
【図１】本発明の一実施形態に係る合体コネクタの合体前を示す斜視図である。
【図２】本発明の一実施形態に係る下段側のコネクタハウジングの下面側から見た斜視図である。
【図３】本発明の一実施形態に係る下段側のコネクタハウジングの上面側の一部斜視図である。
【図４】本発明の一実施形態に係る下段側のコネクタハウジングの上面側の一部斜視図である。
【図５】本発明の一実施形態に係る合体コネクタの連結作業の一過程を示す側面図である。
【図６】本発明の一実施形態に係る合体コネクタの合体後を示す側面図である。
【図７】本発明の一実施形態に係る合体コネクタの合体後を示す正面図である。
【図８】従来例の合体コネクタの合体前の状態を示す斜視図である。
【図９】従来例の上段側のコネクタハウジングの要部を底面側から見た拡大斜視図である。
【図１０】従来例の下段側のコネクタハウジングの要部を平面側から見た拡大斜視図である。
【図１１】従来例の仕切壁が圧接端子に接触した状態を示す要部断面図である。
【図１２】従来例の仕切壁の押圧によって圧接端子が変形した状態を示す要部断面図である。
【符号の説明】
２０    合体コネクタ
２１    上段側のコネクタハウジング（一方のコネクタハウジング）
２１ａ    下面（連結面）
２２    下段側のコネクタハウジング（他方のコネクタハウジング）
２２ａ    上面（連結面）
２３    端子収容室
２４    仕切壁
２６    圧接端子（端子）
３３    仕切壁
３４    前側ロック手段
３４ａ    前側凸部
３４ｂ    前側凹部
３５    後側ロック手段
３５ａ    後側凸部
３５ｂ    係合アーム
３５ｃ    係合孔
３６    スライド先端面
３７    テーパ面
３８    位置ロック手段
３８ａ    位置ロック凸部
３８ｂ    位置ロック凹部
Ｔ    延設方向
Ｓ    スライド方向
【図１】
0003618569.tif 000002
【図２】
0003618569.tif 000003
【図３】
0003618569.tif 000004
【図４】
0003618569.tif 000005
【図５】
0003618569.tif 000006
【図６】
0003618569.tif 000007
【図７】
0003618569.tif 000008
【図８】
0003618569.tif 000009
【図９】
0003618569.tif 000010
【図１０】
0003618569.tif 000011
【図１１】
0003618569.tif 000012
【図１２】
0003618569.tif 000013